(57)【要約】【課題】集合型店舗において、テーブルの回転率を上げ、来店客の人数の増加に貢献することのできる注文情報管理システムを提供する。【解決手段】注文情報管理装置１が、注文入力端末２より、注文情報と来店客ＩＤとを受信すると、注文情報に格納された注文内容を、当該注文内容と組み合わせとなる同一注文情報内の店舗ＩＤに基づいて、複数の店舗それぞれに設置された表示装置４のうちの対応する店舗の表示装置４へ振り分けて表示する。そして、注文情報管理装置１は、注文内容の調理完了の登録を受け付けることにより、その注文内容を格納した注文情報とともに受信した来店客ＩＤを、呼出端末３へ送信する。【選択図】図１
2010176384.tif 000002
【特許請求の範囲】
【請求項１】
複数の店舗それぞれに対する注文を管理する注文情報管理装置と、前記複数の店舗の何れか一つまたは複数に対する注文情報の入力を受け付ける注文入力端末と、前記複数の店舗に設置された出力装置と、前記複数の店舗に設置された会計処理装置とを備えた注文情報管理システムであって、
前記注文入力端末は、
前記複数の店舗ごとの複数の提供商品情報を表示する提供商品情報表示手段と、
前記複数の店舗のうちの何れかの店舗の指定と、指定された当該店舗の提供商品情報のうちの何れかの提供商品情報とその数量の指定と、を受け付ける注文情報受付手段と、
前記指定された店舗を示す店舗識別情報と、当該店舗に対する前記指定された提供商品情報とその数量と、注文情報入力を受け付けた来店客を識別する来店客識別情報とを対応付けた注文情報を、前記注文情報管理装置へ送信する注文情報送信手段と、を備え、
前記注文情報管理装置は、
前記注文入力端末から前記注文情報を受信する注文情報受信手段と、
前記受信した注文情報を注文情報記憶手段に登録する注文情報登録手段と、
前記注文情報に含まれる前記提供商品情報とその数量と前記来店客識別情報とを、前記注文情報に含まれる前記店舗識別情報で識別される出力装置に送信して調理を指示する調理指示手段と、
前記出力装置から、前記出力装置が配された店舗を識別する店舗識別情報と、調理が完了した提供品を示す提供品情報に対応付けられた来店客識別情報と、を含む調理完了情報を受信する調理完了受信手段と、
前記受信した調理完了情報に含まれる店舗識別情報と来店客識別情報とを、前記来店客を呼出し報知を行うための呼出装置に送信する、調理完了報知手段と、
を備えることを特徴とする注文情報管理システム。
【請求項２】
前記注文情報管理装置は、
前記会計処理装置から、店舗識別情報と来店客識別情報とを含む会計完了情報を受信する会計完了情報受信手段と、
前記注文情報記憶手段に記憶されている、前記会計完了情報に含まれる店舗識別情報と来店客識別情報とで特定される注文情報に対応付けて、会計完了判定情報として会計済み情報を登録する会計完了判定情報登録手段と、
前記注文情報記憶手段に前記会計完了判定情報が登録された後、前記注文情報記憶手段に記憶されている、前記会計完了情報に含まれる来店客識別情報で特定される注文情報に対応付けられている会計完了判定情報に基づいて、当該来店客の注文に関する会計の完了状況を判断する会計完了判定手段と、
を備えることを特徴とする請求項１に記載の注文情報管理システム。
【請求項３】
前記会計完了判定手段は、
前記会計処理装置から前記会計完了情報を受信した場合、当該会計完了情報に含まれる前記来店客識別情報で特定される注文情報と当該注文情報に対応付けられている会計完了判定情報とを前記注文情報記憶手段から読み出し、読み出した全ての注文情報に会計完了判定情報として会計済み情報が登録されている場合、当該店舗での会計が当該来店客の最後の会計であると判断する
ことを特徴とする請求項２に記載の注文情報管理システム。
【請求項４】
前記注文情報管理装置は、
前記会計完了判定手段が当該店舗での会計が当該来店客の最後の会計であると判断した場合、前記会計完了情報を送信した会計処理装置に対して、当該店舗での会計が当該来店客の最後の会計であることを示す情報を送信する会計情報送信手段
を備えることを特徴とする請求項３に記載の注文情報管理システム。
【請求項５】
前記会計処理装置は、
当該店舗での会計が当該来店客の最後の会計であることを示す情報を受信した場合、前記呼出装置の回収指示を通知する通知手段
を備えることを特徴とする請求項４に記載の注文情報管理システム。
【請求項６】
前記会計完了判定手段は、
前記会計処理装置から前記会計完了情報を受信した場合、当該会計完了情報に含まれる前記来店客識別情報で特定される注文情報と当該注文情報に対応付けられている会計完了判定情報とを前記注文情報記憶手段から読み出し、読み出した注文情報のなかに、会計完了判定情報として会計済み情報が未登録である注文情報が存在した場合、当該店舗での会計が当該来店客の最後の会計でないと判断する
ことを特徴とする請求項２から５のいずれかに記載の注文情報管理システム。
【請求項７】
前記会計情報送信手段は、
前記会計完了判定手段が当該店舗での会計が当該来店客の最後の会計でないと判断した場合、前記会計完了情報を送信した会計処理装置に対して、会計が済んでいない店舗がほかにあることを示す情報を送信する
ことを特徴とする請求項６に記載の注文情報管理システム。
【発明の詳細な説明】
【技術分野】
【０００１】
本発明は、複数の店舗が同一エリア内に設置された集合型店舗において、複数の店舗それぞれに対する注文を管理する注文情報管理システムに関する。
【背景技術】
【０００２】
複数の飲食店舗が同一エリア内に設置されており、また、テーブルの配置されている店舗前の飲食エリア内に、客自身が各店舗で購入した飲食物を運んで飲食を行う、フードコートと呼ばれる集合型店舗が、スーパーマーケット、デパート、遊園地、高速道路サービスエリア内などにおいて営業している。このようなフードコートでは、食事時には大勢の来店客が各店舗の前に並んで、自分の順番が来たときに店舗のレジカウンターで注文を行う。そして、その注文に基づく調理がレジカウンター裏の調理場で行われ、調理が完了すると来店客はその注文した飲食物をレジカウンターまで取りに行き、その飲食物を飲食エリアの自分で確保したテーブルに運んで食事を行うこととなる。このようなフードコートでは、来店客の注文後に、店舗のレジカウンターに設置された注文受付端末（ＰＯＳ端末など）から、調理場に設置されている注文表示装置に対して注文情報が通知されることとなるが、これに関連する技術として特許文献１が開示されている。
【先行技術文献】
【特許文献】
【０００３】
【特許文献１】特開２００４−２４６９５１号公報
【発明の概要】
【発明が解決しようとする課題】
【０００４】
上述したように、フードコートでは、食事時に大勢の来店客が注文のために各店舗に列を作って並ぶことが多いが、来店客は、フードコート内の複数の店舗それぞれで飲食物を購入したいと希望する場合、それぞれの店舗で並んで注文を繰り返す必要がある。しかし、そのようにフードコート内の各店舗で並んで注文を繰り返すと、その間、来店客は、飲食エリアのテーブルを確保して占有する。したがって、行列に並んでいる時間が多くなり、これによりテーブルの占有時間が長くなると、テーブルの回転効率が落ちるという問題があった。そしてこのような問題により、混雑時に着席するテーブルが見つからないという理由や、小さな子供の面倒ながら行列に並ぶことが困難、などと考える客がいることにより、客の来店を逸してしまうことがあった。
【０００５】
そこでこの発明は、複数の飲食店舗が同一エリア内に設置され、テーブルの設置されている店舗前の飲食エリアに各店舗で購入した飲食物を運んで飲食を行う、フードコートと呼ばれる集合型店舗において、テーブルの回転率を上げ、来店客の人数の増加に貢献することのできる注文情報管理システムを提供することを目的としている。
【課題を解決するための手段】
【０００６】
上記目的を達成するために、本発明は、複数の店舗それぞれに対する注文を管理する注文情報管理装置と、前記複数の店舗の何れか一つまたは複数に対する注文情報の入力を受け付ける注文入力端末と、前記複数の店舗に設置された出力装置と、前記複数の店舗に設置された会計処理装置とを備えた注文情報管理システムであって、前記注文入力端末は、前記複数の店舗ごとの複数の提供商品情報を表示する提供商品情報表示手段と、前記複数の店舗のうちの何れかの店舗の指定と、指定された当該店舗の提供商品情報のうちの何れかの提供商品情報とその数量の指定と、を受け付ける注文情報受付手段と、前記指定された店舗を示す店舗識別情報と、当該店舗に対する前記指定された提供商品情報とその数量と、注文情報入力を受け付けた来店客を識別する来店客識別情報とを対応付けた注文情報を、前記注文情報管理装置へ送信する注文情報送信手段と、を備え、前記注文情報管理装置は、前記注文入力端末から前記注文情報を受信する注文情報受信手段と、前記受信した注文情報を注文情報記憶手段に登録する注文情報登録手段と、前記注文情報に含まれる前記提供商品情報とその数量と前記来店客識別情報とを、前記注文情報に含まれる前記店舗識別情報で識別される出力装置に送信して調理を指示する調理指示手段と、前記出力装置から、前記出力装置が配された店舗を識別する店舗識別情報と、調理が完了した提供品を示す提供品情報に対応付けられた来店客識別情報と、を含む調理完了情報を受信する調理完了受信手段と、前記受信した調理完了情報に含まれる店舗識別情報と来店客識別情報とを、前記来店客を呼出し報知を行うための呼出装置に送信する、調理完了報知手段と、を備えることを特徴とする注文情報管理システムである。
【０００７】
また本発明は、上述の注文情報管理システムにおいて、前記注文情報管理装置は、前記会計処理装置から、店舗識別情報と来店客識別情報とを含む会計完了情報を受信する会計完了情報受信手段と、前記注文情報記憶手段に記憶されている、前記会計完了情報に含まれる店舗識別情報と来店客識別情報とで特定される注文情報に対応付けて、会計完了判定情報として会計済み情報を登録する会計完了判定情報登録手段と、前記注文情報記憶手段に前記会計完了判定情報が登録された後、前記注文情報記憶手段に記憶されている、前記会計完了情報に含まれる来店客識別情報で特定される注文情報に対応付けられている会計完了判定情報に基づいて、当該来店客の注文に関する会計の完了状況を判断する会計完了判定手段と、を備えることを特徴とする。
【０００８】
また本発明は、上述の注文情報管理システムにおいて、前記会計完了判定手段は、前記会計処理装置から前記会計完了情報を受信した場合、当該会計完了情報に含まれる前記来店客識別情報で特定される注文情報と当該注文情報に対応付けられている会計完了判定情報とを前記注文情報記憶手段から読み出し、読み出した全ての注文情報に会計完了判定情報として会計済み情報が登録されている場合、当該店舗での会計が当該来店客の最後の会計であると判断することを特徴とする。
【０００９】
また本発明は、上述の注文情報管理システムにおいて、前記注文情報管理装置は、前記会計完了判定手段が当該店舗での会計が当該来店客の最後の会計であると判断した場合、前記会計完了情報を送信した会計処理装置に対して、当該店舗での会計が当該来店客の最後の会計であることを示す情報を送信する会計情報送信手段を備えることを特徴とする。
【００１０】
また本発明は、上述の注文情報管理システムにおいて、前記会計処理装置は、当該店舗での会計が当該来店客の最後の会計であることを示す情報を受信した場合、前記呼出装置の回収指示を通知する通知手段を備えることを特徴とする。
【００１１】
また本発明は、上述の注文情報管理システムにおいて、前記会計完了判定手段は、前記会計処理装置から前記会計完了情報を受信した場合、当該会計完了情報に含まれる前記来店客識別情報で特定される注文情報と当該注文情報に対応付けられている会計完了判定情報とを前記注文情報記憶手段から読み出し、読み出した注文情報のなかに、会計完了判定情報として会計済み情報が未登録である注文情報が存在した場合、当該店舗での会計が当該来店客の最後の会計でないと判断することを特徴とする。
【００１２】
また本発明は、上述の注文情報管理システムにおいて、前記会計情報送信手段は、前記会計完了判定手段が当該店舗での会計が当該来店客の最後の会計でないと判断した場合、前記会計完了情報を送信した会計処理装置に対して、会計が済んでいない店舗がほかにあることを示す情報を送信することを特徴とする。
【発明の効果】
【００１３】
本発明によれば、フロア店員の注文入力端末２を用いた注文受付によって注文が行われる。そして、注文情報管理装置１は、注文入力端末２より受信した注文情報が、フードコートに設置された複数の店舗それぞれの販売する商品の注文を示す場合には、各店舗の表示装置４に対して注文内容を振り分けて表示する処理を行う。これにより、フードコートに来店した客は、注文を行いたい複数の店舗それぞれの行列に並ぶ必要が無く、飲食物の注文を行うことができる。そして、これにより並んでいる時間が削減されるため、来店客がテーブルを占有する時間が減り、テーブルの回転率を上げることができる。そして、混雑時に着席するテーブルが見つからない客や、小さな子供の面倒を見る必要があり行列に並ぶことが困難と考える客の数を減らすことで、来店客の人数の増加に貢献することができるようになる。
【００１４】
また、本発明によれば、呼出端末３の回収忘れを防止でき、来店客が呼出端末３を自宅に持ち帰ってしまうことを防ぐことができる。
【図面の簡単な説明】
【００１５】
【図１】注文情報管理システムの構成を示す図である。
【図２】注文情報管理装置１と注文入力端末２の機能ブロック図である。
【図３】注文入力端末の処理フローを示す図である。
【図４】注文入力端末２の表示例を示す第１の図である。
【図５】注文入力端末２の表示例を示す第２の図である。
【図６】注文入力端末２の表示例を示す第３の図である。
【図７】注文入力端末２の表示例を示す第４の図である。
【図８】注文情報管理装置の処理フローを示す図である。
【図９】注文情報テーブルの例を示す図である。
【図１０】注文情報管理システムの処理フローを示す図である。
【図１１】メニューテーブルの例を示す図である。
【発明を実施するための形態】
【００１６】
以下、本発明の一実施形態による注文情報管理システムを図面を参照して説明する。
図１は同実施形態による注文情報管理システムの構成を示す図である。
この図において、符号１はフードコート内の複数の店舗それぞれに対する注文を管理する注文情報管理装置である。また２はフードコート内の複数の店舗の何れか一つまたは複数に対する注文の入力を受け付ける注文入力端末であり、飲食エリアを巡回するフロア店員が保持している。また３はフロア店員の注文入力端末２を用いた注文処理の後、そのフロア店員から来店客に対して渡される呼出端末である。また４は受け付けた注文を調理場の調理担当者に対して表示する出力装置としての表示装置である。なお、出力装置としてプリンタを使用し、注文に関する調理指示を印字するようにしてもよい。また５は会計処理を行う会計処理装置である。そして、フードコートの各店舗には表示装置４と会計処理装置５とが１台または複数台設置されており、それら表示装置４と会計処理装置５は通信ネットワークを介して注文情報管理装置１と接続されている。また注文入力端末２と呼出端末３は注文情報管理装置１と無線通信により接続する。
【００１７】
図２は注文情報管理装置１と注文入力端末２の機能ブロック図である。
この図で示すように、注文情報管理装置１は、注文入力端末２や呼出端末３と無線による通信を行う処理や、表示装置４や会計処理装置５と有線の通信ネットワークを介して通信を行う処理を行う通信処理部１１（注文情報受信手段、調理完了受信手段、会計完了情報受信手段として機能する）、注文情報管理装置１の各処理部を制御する制御部１２（調理完了報知手段として機能する）、受信した注文情報や会計完了判定情報を記憶部１７に登録する情報登録部１３（注文情報登録手段、会計完了判定情報登録手段として機能する）、注文情報を出力装置４に表示させて調理指示を行う表示処理部１４（調理指示手段として機能する）、各注文情報について会計完了したかを判定する会計完了判定部１５（会計完了判定手段として機能する）、会計情報を会計処理装置５へ送信する会計情報送信部１６（会計情報送信手段として機能する）、各種情報を記憶する記憶部１７（注文情報記憶手段として機能する）を備えている。
また注文入力端末２は、注文情報管理装置１と無線による通信を行う通信処理部２１、注文入力端末２の各処理部を制御する制御部２２、メニューの情報や注文入力画面を液晶画面等の表示部に表示する表示処理部２３（提供商品情報表示手段として機能する）、注文情報を受け付ける処理を行う注文情報受付部２４（注文情報受付手段として機能する）、注文情報などを格納した注文要求を注文情報管理装置１へ送信する注文要求部２５（注文情報送信手段として機能する）、各種情報を記憶する記憶部２５を備えている。
【００１８】
そして、本実施形態による注文情報管理システムにおいては、注文入力端末２が、フロア店員の操作に基づいて、来店客の注文時に、複数の店舗ごとの複数の提供商品情報（メニュー）等を表示部に表示し、複数の店舗のうちの何れか１つまたは複数の店舗の指定と、当該指定された店舗の提供商品情報のうちの何れか１つまたは複数の提供商品情報とその数量の指定と、を受け付ける。そして注文入力端末２は、指定された店舗を示す店舗識別情報と、その店舗に対する指定された提供商品情報とその数量と、フロア店員などの操作によって入力を受け付けた来店客ＩＤ（来店客識別情報）とを含む注文情報を注文情報管理装置１へ送信する。そして、注文情報管理装置１は、注文入力端末２より注文情報を受信すると、注文情報に含まれる提供品情報とその数量と来店客ＩＤとを、それら情報と対応付いて注文情報に含まれる店舗ＩＤで識別される表示装置４へ送信し、調理指示を表示させる。そして、注文情報管理装置１は、表示装置４から注文内容の調理完了の登録を受け付けることにより、その注文内容を格納した注文情報とともに受信した来店客ＩＤを、呼出端末へ送信する。
【００１９】
また本実施形態による注文情報管理システムにおいて、注文情報管理装置１は、会計処理装置５において会計が完了すると、会計処理装置５から、会計処理装置５が設置されている店舗を識別する店舗ＩＤと、会計が済んだ注文情報に含まれる来店客ＩＤと、を含む会計完了情報を受信する。注文情報管理装置１は、会計完了情報を受信すると、記憶部１７に記憶されている、受信した会計完了情報に含まれる店舗ＩＤと来店客ＩＤとで特定される注文情報に対して、会計完了判定情報として会計済み情報を対応付けて登録する。
そして、注文情報管理装置１は、記憶部１７に記憶された来店客ＩＤで特定される注文情報について、当該注文情報に対応付けて登録されている会計完了判定情報に基づいて当該来店客の注文に関する会計の完了状況を判断する。
記憶部１７に記憶されている、会計完了情報に含まれる来店客ＩＤで特定される全ての注文情報に、「会計済み情報」が登録されている場合、当該店舗での会計が当該来店客の最後の会計であると判断する。そして、当該店舗での会計が当該来店客の最後の会計であることを示す情報を、会計完了情報に対する応答として会計処理装置５へ送信する。会計処理装置５は、当該店舗での会計が当該来店客の最後の会計であることを示す情報を受信した場合、呼出端末３を来店客から回収するよう、回収指示を通知する。
一方、会計完了情報に含まれる来店客ＩＤで特定される注文情報について、会計済み情報が未登録である注文情報が存在した場合、当該店舗での会計が当該来店客の最後の会計でないと判断する。そして、会計が済んでいない店舗がほかにあることを示す情報を会計完了情報に対する応答として会計処理装置５へ送信する。
【００２０】
このような処理により、本実施形態による注文情報管理システムは、複数の飲食店舗が同一エリア内に設置され、テーブルの設置されている店舗前の飲食エリアに各飲食店舗で購入した飲食物を運んで飲食を行う、フードコートと呼ばれる集合型店舗において、テーブルの回転率を上げ、来店客の人数の増加に貢献し、また利便性を向上させるための処理を行う。
【００２１】
図３は本実施形態による注文入力端末の処理フローを示す図である。
次に、図３を用いて本実施形態による注文情報管理システムの注文入力端末における処理の詳細について説明する。
まず、来店客はフードコートに入場すると、飲食エリアにおいて自身が着席するテーブルを確保する。フードコートの飲食エリアではフロア店員が巡回しており、従来のフードコートのようにフードコート内に設置された各店舗に来客店自身が並んで注文を行う代わりに、そのフロア店員が来店客から直接注文を受け付ける。フロア店員は、常時、飲食エリアを巡回し、来店客から声がかかるか、もしくは新たな来店客に声をかけることによって、その客の注文を受け付ける。このとき、各テーブルには、それぞれの店舗のメニューが置いてあるものとする。また、着席した来店客から見やすいようにメニューを各店舗の頭上に大きく掲示しておいてもよい。そして、フロア店員は注文を取る際には注文入力端末２を用いる。
【００２２】
注文入力端末２は、記憶部２６に、図１１のメニューテーブルのような、フードコート内の各店舗の店舗ＩＤに対応付けられた提供商品情報（メニューコード、商品名、商品価格などのメニューの情報など）を記憶している。フロア店員の操作に基づいて、表示処理部２３が、店舗とその店舗で販売される提供商品情報とを選択可能に表示部に表示する。またフロア店員の操作に基づいて、注文情報受付部２４が、表示されている店舗とその店舗で販売される提供商品情報の選択と、提供商品情報の商品の注文数とを検出することにより、注文を受け付ける（ステップＳ１０１）。図４は、注文入力端末２において、注文したい提供商品が提供されている店舗を選択するための表示例であり、図５は、提供商品情報を選択するための画表示例である。詳細は後述する。
【００２３】
また、注文入力端末２の注文情報受付部２４は、フロア店員の操作に基づいて来店客ＩＤの入力を受け付ける（ステップＳ１０２）。この来店客ＩＤは、例えば呼出端末３に付与されているＩＤであり、例えば呼出端末３にこの来店客ＩＤがバーコードにより印刷されており、注文入力端末２が備えるバーコードリーダでそのバーコードを読み取ることにより、注文入力端末２に来店客ＩＤが入力される。または注文入力端末２に備えられた入力キーをフロア店員が操作し、呼出端末３に印刷されている来店客ＩＤを入力するようにしてもよい。図６は、注文入力端末２において、来店客ＩＤを手入力するための表示例である。詳細は後述する。
この呼出端末３は注文完了後に、その注文を行った来店客に渡される。来店客は渡された呼出端末３に調理完了の情報と、店舗名などが表示された場合には、注文した商品を提供するその店舗のレジカウンターへ注文を取りに行くこととなる。なお、呼出端末３は、注文情報管理装置１からの呼出信号を受信する機能、調理完了報知に基づく表示部への情報の表示処理を行う機能、来店客ＩＤを記憶する機能を備えているものとする。
その他、注文入力端末２の注文情報受付部２４は、フロア店員の操作により、来店客が着席しているテーブルのテーブル番号、人数などの入力を受け付ける（ステップＳ１０３）。そして、注文入力端末２の注文要求部２４は、表示部に表示している注文送信のためボタンの押下などの操作を検出すると（ステップＳ１０４）、選択された提供商品情報とその商品の注文数、来店客ＩＤなどを店舗ＩＤに対応付けた注文情報を生成する。（ステップＳ１０５）。そして、注文要求部２５は生成した注文情報と、テーブル番号、人数などからなる注文要求を、通信処理部２１を介して注文情報管理装置１へ送信する（ステップＳ１０６）。
【００２４】
図４は注文入力端末２の表示例を示す第１の図である。
図４は注文入力端末２に表示される店舗入力画面を示している。注文入力端末２の表示処理部２３は、店舗名（もしくは店舗を識別可能な文字、記号、絵などの情報）が選択可能に表示されたこの店舗入力画面をはじめに表示部に表示する。フロア店員の操作に基づいて店舗が選択されると、その選択された店舗の店舗ＩＤを注文情報受付部２４が記憶部２６から読み取り、一時的に注文情報を生成するためのメモリに店舗ＩＤを格納して保持する。
【００２５】
図５は注文入力端末２の表示例を示す第２の図である。
図５は注文入力端末２に表示される商品選択画面を示している。注文入力端末２の表示処理部２３は、店舗が選択されると、その選択された店舗の店舗ＩＤに対応付けられて記憶部２６に記録されている提供商品情報を読み取り、図５で示すように表示部の商品選択画面上に各提供商品情報が示す商品名（もしくは商品名を識別可能な文字、記号、絵などの情報）を表示する。そして、この商品選択画面において、フロア店員の操作に基づいて、商品が選択されると、その選択された商品で特定される提供商品情報を注文情報受付部２４が記憶部２６から読み取り、一時的に注文情報を生成するためのメモリに提供商品情報を格納して保持する。
【００２６】
図６は注文入力端末２の表示例を示す第３の図である。
図６は注文入力端末２に表示される来店客ＩＤ入力画面を示している。注文入力端末２の表示処理部２３は、フロア店員の操作に基づいて、この来店客ＩＤ入力画面による来店客ＩＤの入力を受け付けるようにしてもよい。そして入力を受け付けると、入力された来店客ＩＤを、一時的に注文情報を生成するためのメモリに格納して保持する。なお、来店客ＩＤの入力は手入力のほか、バーコードリーダによって呼出端末３のバーコードを読み取って入力することも可能であるが、この場合にも入力された来店客ＩＤは一時的に注文情報を生成するためのメモリに格納して保持する。
【００２７】
図７は注文入力端末２の表示例を示す第４の図である。
図７は注文入力端末２に表示される注文確認画面を表示している。注文入力端末２において、たとえば店舗入力画面（図４）や商品選択画面（図５）などには、それまでに入力された注文に関する情報を確認するために、確認ボタンが設けられている。注文入力端末２の表示処理部２３は、商品選択画面上の「確認」ボタンが押下されることを検出すると、選択された提供商品情報の一覧を示す注文確認画面を表示する。またこのとき、複数の店舗に対する注文の入力を受け付けた場合には、店舗ごとに、選択された提供商品情報の一覧を表示する。
【００２８】
図８は本実施形態による注文情報管理装置の処理フローを示す図である。
次に、図８を用いて本実施形態による注文情報管理システムの注文情報管理装置における注文内容表示処理の詳細について説明する。
上述した注文入力端末２の処理によって、注文情報管理装置１の通信処理部１１は、注文入力端末２から送信された注文情報（選択された提供商品情報とその商品の注文数、来店客ＩＤ、店舗ＩＤを含む情報）と、テーブル番号、人数などを格納した注文要求を受信する（ステップＳ２０１）。そして、注文情報管理装置１の情報登録部１３が、注文情報、テーブル番号、人数などを受け付け、注文情報、テーブル番号、来店者のグループの人数、さらに会計が済んでいない場合には会計未完了を示し会計が済んでいる場合には会計完了を示す会計完了判定情報、を対応付けて記憶部１７の注文情報テーブル（図９）に登録する（ステップＳ２０２）。つまり、注文情報テーブルには来店客ＩＤに対応付けられて、店舗ＩＤと提供商品情報で示される商品名、数量などの情報と、その商品の会計が済んだか否かを示す会計完了判定情報が登録される。また一つの来店客ＩＤに複数の店舗ＩＤと提供商品情報で示される商品名、数量などと、会計完了判定情報が登録されることとなる。またさらに、伝票番号、各商品のメニューコード、各商品の単価などが対応付けて登録される。
【００２９】
図９は注文情報テーブルの例を示す図である。
この図が示すように、注文情報テーブルには、伝票番号、テーブル番号、人数、来店客ＩＤ（呼出し番号）、店舗ＩＤ、メニューコード、商品名（メニュー名称）、単価、商品の注文数量、会計完了判定情報が対応付けられて登録される。そして、この図では、来店客ＩＤ「２」で特定される来店客（テーブル番号２、人数３名）が、店舗ＩＤ「Ｃ」で特定されるピザ＆スパゲッティショップで、コーヒーを１つ、アイスコーヒーを２つ購入したことを示している。またこの注文においては、会計は済んでいないことを示している。
またこの図では来店客ＩＤ「４」で特定される来店客（テーブル番号１、人数２名）が、店舗ＩＤ「Ａ」で特定されるハンバーガショップで、ハンバーガーを１つとチーズバーガを１つ、店舗ＩＤ「Ｂ」で特定されるラーメン店で味噌ラーメンを１つ、店舗ＩＤ「Ｃ」で特定されるピザ＆スパゲッティショップで、コーヒーを２つ購入したことを示している。またこの注文においては、店舗ＩＤ「Ａ」で特定されるハンバーガショップでの会計および、店舗ＩＤ「Ｃ」で特定されるピザ＆スパゲッティショップでの会計が済んでいないことを示しており、店舗ＩＤ「Ｂ」で特定されるラーメン店での会計は済んでいることを示している。
【００３０】
情報登録部１３が登録処理を完了すると、表示処理部１４は、注文情報テーブルに新たに登録された来店客ＩＤに対応付けられた店舗ＩＤを注文情報テーブルから検出し（ステップＳ２０３）、１つ目の店舗ＩＤを特定する（ステップＳ２０４）。そして、その店舗ＩＤに対応付けられて注文情報テーブルに登録されているメニューコード、商品名、単価、数量などの注文内容を読み取る（ステップＳ２０５）。そして、１つ目の店舗ＩＤで特定できる店舗の表示装置４の装置ＩＤを記憶部１７またはメモリなどの図示しない記憶手段から読み取り、その装置ＩＤに基づいて、１つ目の店舗ＩＤで特定できる店舗の表示装置４へ、注文情報テーブルから読み取ったメニューコード、商品名、単価、数量などの注文内容と来店客ＩＤとを送信する（ステップＳ２０６）。すると、１つ目の店舗ＩＤが示す店舗の表示装置４は来店客ＩＤと注文内容とを画面に表示する。
【００３１】
また同様に、表示処理部１４は、注文情報テーブルに新たに登録された来店客ＩＤに基づいて検出した複数の店舗ＩＤのうちの次の店舗ＩＤがあるかを判定し（ステップＳ２０７）、ある場合にはその店舗ＩＤを特定する（ステップＳ２０８）。そして、上述のステップＳ２０５の処理と同様に、その店舗ＩＤに対応付けられて注文情報テーブルに登録されているメニューコード、商品名、単価、数量などの注文内容を読み取る。そして、２つ目の店舗ＩＤで特定できる店舗の表示装置４の装置ＩＤを記憶部１７またはメモリなどの図示しない記憶手段から読み取り、その装置ＩＤに基づいて、２つ目の店舗ＩＤで特定できる店舗の表示装置４へ、注文情報テーブルから読み取ったメニューコード、商品名、単価、数量などの注文内容と来店客ＩＤとを送信する。すると、２つ目の店舗ＩＤが示す店舗の表示装置４は来店客ＩＤと注文内容とを画面に表示する。このような処理を繰り返し、注文情報テーブルに新たに登録された来店客ＩＤに基づいて検出した複数の店舗ＩＤに対応する注文内容を、全てそれら店舗ＩＤごとの各店舗に備えられた表示装置４に送信し表示させると、表示処理を完了する。つまりこの表示処理においては、注文情報に格納されたメニューコード、商品名、単価、数量などの注文内容を、当該注文内容と対応付けられている店舗ＩＤに基づいて、複数の店舗それぞれに設置された表示装置４のうちの対応する店舗の表示装置４へ振り分けて表示させる処理を行っている。
【００３２】
以上のような処理により、フロア店員の注文入力端末２を用いた注文受付によって注文が行われる。そして、注文情報管理装置１は注文入力端末２より受信した注文情報が、フードコートに設置された複数の店舗それぞれの販売する商品の注文を示す場合には、各店舗の表示装置４に対して注文内容を振り分けて表示する処理を行う。これにより、フードコートに来店した客は、注文を行いたい複数の店舗それぞれの行列に並ぶ必要無く、飲食物の注文を行うことができる。そして、これにより並んでいる時間が削減されるため、来店客がテーブルを占有する時間が減り、テーブルの回転率を上げることができる。そして、混雑時に着席するテーブルが見つからない客や、小さな子供の面倒を見る必要があり行列に並ぶことが困難と考える客の数を減らすことで、来店客の人数の増加に貢献することができるようになる。
またフードコートにおいて、調理完了を来店客に知らせるための呼出端末３を、来店客に渡すために各店舗が別々に所有する必要がなく、フードコート内の各店舗で共通に利用する呼出端末３を来店客が使えばよいため、各店舗における営業コストを軽減させることができる。
【００３３】
図１０は本実施形態による注文情報管理システムの処理フローを示す図である。
次に、図１０を用いて本実施形態による注文情報管理システムにおける調理完了報知処理および会計時処理の詳細について説明する。
各店舗の表示装置４には、注文情報管理装置１から受信したメニューコード、商品名、単価、数量などの注文内容と来店客ＩＤに基づき、注文内容の調理指示が表示される。各店舗の調理担当者は表示装置４に表示された注文内容を閲覧して注文された商品の調理を行う。そして、調理担当者が表示装置４に表示された注文内容の調理が完了すると、その表示装置４に設けられた入力手段（例えばタッチパネルなど）において、調理の完了した注文内容を選択し、注文完了を登録する。すると調理完了の登録に基づいて、その調理完了を示す注文内容に対応付けられて表示されている来店客ＩＤと、その表示装置４が設置されている店舗ＩＤとが注文情報管理装置１へ送信され、注文情報管理装置１の通信処理部１１が受信する（ステップＳ３０１）。すると、注文情報管理装置１の制御部１２が、受信した来店客ＩＤと店舗ＩＤを格納した調理完了報知信号を生成する（ステップＳ３０２）。また制御部１２は、調理完了報知信号を呼出端末３へ送信する（ステップＳ３０３）。ここで、飲食エリアで注文した飲食物の調理完了を待つ来店客それぞれは、注文後に呼出端末３をフロア店員から渡されて保持している。そして調理完了を待つ来店客が保持する全ての呼出端末３が調理完了報知信号を受信するが、その調理完了報知信号に格納されている来店客ＩＤを検出し、自端末のメモリに記録されている来店客ＩＤと一致するかを判定する。そして一致した場合に、自端末内に備えられているバイブレータやアラーム機能を動作させ、かつ、表示部に店舗ＩＤに基づく店舗名を表示する。これにより、来店客のうちの１組の保持している呼出端末３の表示部に店舗名が表示され、またバイブレータやアラーム機能が動作することにより、来店客は、その店舗において調理が完了したことを把握する。そして来店客はその店舗へ注文商品を取りに行き、レジカウンターにおいて会計を行う。
【００３４】
レジカウンターにおいては、会計処理装置５がバーコードリーダを備えている。そしてレジ担当者は、来店客が保持する呼出端末３のバーコードをバーコードリーダに読み取らせる。これにより、会計処理装置５はバーコードリーダから受信したバーコード情報から来店客ＩＤを検出し（ステップＳ３０４）、また自装置内のメモリに記録されている店舗ＩＤを取得する（ステップＳ３０５）。そして、会計処理装置５はそれら来店客ＩＤと店舗ＩＤとを格納した会計情報送信要求を注文情報管理装置１へ送信する（ステップＳ３０６）。
注文情報管理装置１の会計完了判定部１５は、会計情報送信要求を受信すると（ステップＳ３０７）、会計情報送信要求に含まれる来店客ＩＤと店舗ＩＤとに対応付けられて、記憶部１７内の注文情報テーブルに記録されている注文内容（メニューコード、商品名、単価、数量）を含む会計情報を、会計情報送信要求を送信した会計処理装置５へ送信する（ステップＳ３０８）。
会計処理装置５は、注文情報管理装置１から会計情報を受信し（ステップＳ３０９）、受信した会計情報に基づいて、来店客の会計処理を行う（ステップＳ３１０）。そして、会計処理を完了すると、当該店舗の店舗ＩＤと来店客ＩＤとを含み、会計処理を完了したこと示す会計完了情報を注文情報管理装置１へ送信する（ステップＳ３１１）。
注文情報管理装置１は、会計処理装置５から会計完了情報を受信し（ステップＳ３１２）、会計完了情報に含まれる店舗ＩＤと来店客ＩＤで特定される注文情報について、記憶部１７内の注文情報テーブルに記録されている会計完了判定情報を「未（未会計）」から「済（会計済）」へと書き換えて登録をする（ステップＳ３１３）。
【００３５】
そして、会計完了判定部１５は、会計完了情報に含まれる来店客ＩＤに対応付けられて、記憶部１７内の注文情報テーブルに記録されている会計完了判定情報を確認する（ステップＳ３１４）。そして、来店客ＩＤに対応付く会計完了判定情報の中に「済（会計済）」でない情報が存在した場合、当該店舗での会計が当該来店客の最後の会計でない（会計未完了の店舗有り）と判断する。会計情報送信部１６は、会計未完了の店舗有りを示す情報を、会計完了情報を送信した会計処理装置５へ応答として送信する（ステップＳ３１５）。
また、会計完了判定部１５は、来店客ＩＤに対応付く会計完了判定情報の全てが「済（会計済）」あると判定した場合には、当該店舗での会計をもって全ての店舗において会計が完了する旨を示す情報を、会計完了情報を送信した会計処理装置５へ応答として送信する（ステップＳ３１６）。
【００３６】
会計処理装置５は、会計完了情報に対する応答を受信すると、その応答に含まれる情報の内容に基づいて、「会計未完了の店舗有り」の情報、または「全ての店舗において会計完了」の情報を表示部などに表示する（ステップＳ３１７）。「会計未完了の店舗有り」が表示された場合には、レジ担当者は、来店客は継続して呼出端末３を利用して他の店舗での調理完了を把握する必要があると判断し、呼出端末３を回収しない。また「全ての店舗において会計完了」が表示された場合には、レジ担当者は、来店客は継続して呼出端末３を利用して他の店舗での調理完了を把握する必要がないと判断し、呼出端末３を回収する。この処理により、呼出端末３の回収忘れを防止でき、来店客が呼出端末３を自宅に持ち帰ってしまうことを防ぐことができる。
【００３７】
例えば、図９の注文情報テーブルに記憶されている来店客ＩＤ「２」の場合、ピザ＆スパゲッティショップで商品を受け取って会計が完了すると、ピザ＆スパゲッティショップの会計処理装置５は会計完了情報を注文情報管理装置１に送信する。注文情報管理装置は、記憶部１７の注文情報テーブルに記憶されている、当該客ＩＤ「２」と当該店舗ＩＤ「Ｃ」で特定される注文情報に対応付けて、会計完了判定情報を「済（会計済）」と登録する。次に、注文情報管理装置１は、当該客ＩＤ「２」で特定される注文情報に対応付けられて記憶部１７の注文情報テーブルに記憶されている全会計完了判定情報を確認し、全て「済（会計済）」であることを確認すると、「全ての店舗において会計完了」の情報を会計処理装置５へ送信する。これを受信した会計処理装置５は、「全ての店舗において会計完了」、「全会計が完了したので呼出端末を回収して下さい」などの通知を行う。
【００３８】
また例えば、図９の注文情報テーブルに記憶されている来店客ＩＤ「４」の場合、ハンバーガショップで商品を受け取って会計が完了すると、ハンバーガショップの会計処理装置５は会計完了情報を注文情報管理装置１に送信する。注文情報管理装置は、記憶部１７の注文情報テーブルに記憶されている、当該客ＩＤ「４」と当該店舗ＩＤ「Ａ」で特定される注文情報に対応付けて、会計完了判定情報を「済（会計済）」と登録する。次に、注文情報管理装置１は、当該客ＩＤ「４」で特定される注文情報に対応付けられて記憶部１７の注文情報テーブルに記憶されている全会計完了判定情報を確認し、「済（会計済）」でない注文情報があることを確認すると（ピザ＆スパゲッティショップのコーヒーの会計が未完了状態）、「会計未完了の店舗有り」の情報を会計処理装置５へ送信する。これを受信した会計処理装置５は、「会計未完了の店舗有り」、「呼出端末は回収しないで下さい」などの通知を行う。
【００３９】
なお、上述の実施形態において、フロア店員が注文受付完了時に呼出端末３を来店客に渡しているが、この代わりに、注文入力端末１が注文情報管理装置１と連携して発番した来店客ＩＤを生成し、注文入力端末１に備えられたプリンタでその来店客ＩＤを印刷し、その用紙を来店客へ渡すようにしてもよい。この場合、調理完了時に注文情報管理装置１は、各店舗のレジカウンターなどに設置された表示機に来店客ＩＤを格納した調理完了報知信号を送信し、当該表示機が調理完了報知信号に格納されている来店客ＩＤを表示する。そして、来店客は、印刷用紙に印刷されている来店客ＩＤと表示機に表示された来店客ＩＤとが一致する場合、商品を受け取りにいくようにしてもよい。なお、この場合、来店客ＩＤの印刷された用紙をレジ担当者が受け取り、その内容を会計処理装置５へ入力することにより、会計処理装置５は、注文情報管理装置１へ会計情報の送信を要求することができる。また、来店客が複数店舗で注文を行っている場合には、来店客に配布する用紙に、来店客ＩＤの他に店舗を識別する情報を印刷したり、店舗毎に用紙を分けられるように印刷したりしてもよい。このようにすることで、来店客は会計済み店舗や未会計店舗を常に把握することができる。また、上述の実施形態において、会計完了判定部１５は、会計処理装置５から会計完了情報を受信した後に会計完了を判定したが、別のタイミングでの判定も可能である。例えば、会計完了判定部１５は、会計処理装置５から会計情報送信要求を受信したときに、会計完了を判定してもよい。具体的には、注文情報管理装置１が会計処理装置５から会計情報送信要求を受信したとき、会計情報送信要求に含まれる来店客ＩＤで特定される注文情報に対応付けられた会計完了判定情報を読み出す。そして、当該会計情報送信要求に含まれる来店客ＩＤと店舗ＩＤとで特定される注文情報以外の注文情報に対応付けられた会計完了判定情報について、全て「済（会計済）」ならば「会計情報送信要求を送信した会計処理装置５における会計処理を行うと、全ての店舗において会計が完了する」と判断し、「済（会計済）」でないものがあれば「会計未完了の店舗有り」と判断する。このようにすることで、会計処理装置５に会計情報を送信する際に判定の情報を会計処理装置５へ送信できる。そして、会計処理装置５において会計処理を実施する前に、「当該会計をもって全ての店舗において会計完了」なのか、「会計未完了の店舗有り」なのか、を店舗の従業員や来店客に通知することも可能である。
【００４０】
また、本実施形態による注文管理システムは、従来のフードコートのように、客が各店舗のレジカウンターまで足を運んで、その場で注文および会計・料理品の引渡しを並行運用することができるような機能を備えていてもよい。この場合、会計処理装置５から、注文内容を入力し、注文情報管理装置１を経由し、調理場の表示装置４へ注文情報が通知される。またこの際、ある店舗のレジカウンターにおいて、別の店舗の注文を入力することも可能である。この場合も、上述した実施形態と同様に、会計処理装置５から入力された複数店舗にまたがる注文情報が、注文情報管理装置１へ送信されて店舗ごとに振り分けられ、各店舗の表示装置４に送信されて表示される。
なお、本実施形態では、フロア店員が注文入力端末２を用いて来店客の注文入力を行ったが、この注文入力端末２を来店客に渡し、調理が完了するまで待機させ、調理が完了し次第その注文入力端末２に調理完了を報知するようにしてもよい。この場合、注文入力端末２がそのまま呼出端末３の役割も果たすこととなり、注文入力端末２を識別するＩＤが来店客ＩＤとなる。
また、呼出端末３に、来店客が待機している間、フードコートの店舗や、併設された商業施設の各店舗のコマーシャルやイベント情報を流すようにしてもよい。
【００４１】
なお、上述の各装置や端末は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４３】
１・・・注文情報管理装置
２・・・注文入力端末
３・・・呼出端末
４・・・表示装置
５・・・会計処理装置
【図１】
2010176384.tif 000003
【図２】
2010176384.tif 000004
【図３】
2010176384.tif 000005
【図４】
2010176384.tif 000006
【図５】
2010176384.tif 000007
【図６】
2010176384.tif 000008
【図７】
2010176384.tif 000009
【図８】
2010176384.tif 000010
【図９】
2010176384.tif 000011
【図１０】
2010176384.tif 000012
【図１１】
2010176384.tif 000013